(57)【要約】      （修正有）【課題】電気系統を濡らすことなく、絶縁性の高い電動式トリガー吐出器を提供する。【解決手段】容器の口部に装着されるインテイク210と、このインテイク210に保持されて先端からノズル250が突出するボディ100と、ボディ100に進退可能に保持されるトリガー260と、このトリガー260の牽曳により押圧されるスイッチSWと、このスイッチSWの押圧により電流を供給する電源Ｂと、この供給電流により動作する駆動源Ｍと、この駆動源Ｍに結合されインテイク210を介して容器の内容物をノズル250に圧送するポンプ230と、トリガー260の牽曳に同期して容器の内外を連通させる空気置換用シリンダ機構270とを有し、ケーシング120と後側ケーシング110との相互間に、流路系統と電気系統とを仕切る仕切り壁133を備え、この仕切り壁133に、空気置換用シリンダ機構170の作動に伴う弾性変形によりスイッチSWを押圧する軟質膜170を設ける。【選択図】図１
2006346623.tif 000002
【特許請求の範囲】
【請求項１】
容器の口部に装着されるインテイクと、このインテイクに保持されて先端からノズルが突出するボディと、このボディに進退可能に保持されるトリガーと、このトリガーの牽曳により押圧されるスイッチと、このスイッチの押圧により電流を供給する電源と、この供給電流により動作する駆動源と、この駆動源に結合されインテイクを介して容器の内容物をノズルに圧送するポンプと、トリガーの牽曳に同期して容器の内外を連通させる空気置換用シリンダ機構とを有し、
前記ボディは、ポンプ及び空気置換用シリンダ機構からなる流路系統を収める前側ケーシングと、電源、駆動源及びスイッチからなる電気系統を収める後側ケーシングとからなり、前側ケーシングと後側ケーシングとの相互間に、流路系統と電気系統とを仕切る仕切り壁を備え、
この仕切り壁に、空気置換用シリンダ機構の作動に伴う弾性変形によりスイッチを押圧する軟質膜を設けたことを特徴とする電動式トリガー吐出器。
【請求項２】
後側ケーシングに、電源を装填する電源装填室と、駆動源を装填する駆動源装填室とを設けた請求項１に記載の電動式トリガー吐出器。
【請求項３】
駆動源と仕切り壁との間、又は、ポンプと仕切り壁との間の少なくとも一方にシール部材を介在させてなる請求項２に記載の電動式トリガー吐出器。
【請求項４】
後側ケーシングは、その末端に開口を有し、この開口を着脱可能に封止するカバーを備える請求項１乃至３のいずれか一項に記載の電動式トリガー吐出器。
【発明の詳細な説明】
【技術分野】
【０００１】
本発明は、トリガーの牽曳により電動ポンプを駆動させて容器の内容物を吸引・加圧・圧送する電動式トリガー吐出器に関するものである。
【背景技術】
【０００２】
使用者の疲労軽減の目的から、トリガーの牽曳により電動ポンプを駆動させて容器の内容物をノズル先端から吐出させる電動式トリガー吐出器は既知であり、その従来例の一つとして、上側シェルと下側シェルを組み付けたハウジング内に、電源、モータ、スイッチ、ポンプ及び空気置換用シリンダ機構を収納したものがある（例えば、特許文献１参照。）。
【特許文献１】米国特許第5,397,034号公報
【０００３】
また、他の従来例としては、上部シェルと右下部ハウジング及び左下部ハウジングとを組み付けたヘッド内に、電源、モータ、スイッチ、ポンプ及び空気置換用シリンダ機構を収納したものもある（例えば、特許文献２参照。）。
【特許文献２】特表2004-504137号公報
【０００４】
更に、他の従来例としては、ポンプブラケットにモータを取り付け、トリガーを揺動可能に保持したケース内に、電源、モータ、スイッチ、ポンプ及び空気置換機構を収納したものである（例えば、特許文献３参照。）。
【特許文献３】特開2003-261190号公報
【発明の開示】
【発明が解決しようとする課題】
【０００５】
一方、こうした電動式トリガー吐出器は、住居用洗剤を内容物として充填した容器に用いられることがあり、こうした商品群の性質上、水場で使用されることは否めない。
【０００６】
しかしながら、上述の従来例はいずれも、ポンプ、シリンダ及びプランジャからなる流路系統と、電源、スイッチ、モータからなる電気系統とが同一空間内に配置されているため、本願発明者は、絶縁性の面において改善の余地があることを見出した。
【０００７】
本発明の解決すべき課題は、こうした点に着目してなされたものであり、電気系統を濡らすことなく、絶縁性の高い電動式トリガー吐出器を提供することにある。
【課題を解決するための手段】
【０００８】
本発明である電動式トリガー吐出器は、容器の口部に装着されるインテイクと、このインテイクに保持されて先端からノズルが突出するボディと、このボディに進退可能に保持されるトリガーと、このトリガーの牽曳により押圧されるスイッチと、このスイッチの押圧により電流を供給する電源と、この供給電流により動作する駆動源と、この駆動源に結合されインテイクを介して容器の内容物をノズルに圧送するポンプと、トリガーの牽曳に同期して容器の内外を連通させる空気置換用シリンダ機構とを有し、前記ボディは、ポンプ及び空気置換用シリンダ機構からなる流路系統を収める前側ケーシングと、電源、駆動源及びスイッチからなる電気系統を収める後側ケーシングとからなり、前側ケーシングと後側ケーシングとの相互間に、流路系統と電気系統とを仕切る仕切り壁を備え、この仕切り壁に、空気置換用シリンダ機構の作動に伴う弾性変形によりスイッチを押圧する軟質膜を設けたことを特徴とするものである。
【０００９】
本発明に係るトリガーには、例えば、ボディに揺動可能に保持される操作レバーや押しボタン等が挙げられる。また、駆動源としてはモータが挙げられるが、電気エネルギを機械エネルギに変換するものであればこれに限るものではない。
【００１０】
更に、空気置換用シリンダ機構には、例えば、インテイクに繋がり容器内に通じる空気孔を有する横置きシリンダと、この横置きシリンダ内をトリガーの牽曳によりストロークして空気孔を開放するピストンとからなるものが挙げられる。
【００１１】
また、本発明においては、後側ケーシングに、電源を装填する電源装填室と、駆動源を装填する駆動源装填室とを備えることが好ましい。
【００１２】
更に、本発明においては、駆動源と仕切り壁との間、又は、ポンプと仕切り壁との間の少なくとも一方にシール部材を介在させることが好ましい。
【００１３】
また、本発明において、後側ケーシングは、その末端に開口を有し、この開口を着脱可能に封止するカバーを備えることが好ましい。
【発明の効果】
【００１４】
本発明は、ボディを前後に分けて、ポンプ及び空気置換用シリンダ機構からなる流路系統を収める前側ケーシングと、電源、駆動源及びスイッチからなる電気系統を収める後側ケーシングとし、前側ケーシングと後側ケーシングとの相互間に仕切り壁を設けて流路系統と電気系統とを仕切ったから、水気を嫌う電源、駆動源及びスイッチが後側ケーシング内に隔離される。
【００１５】
従って本発明によれば、電源系統を濡らすことなく、絶縁性の高い電動式トリガー吐出器を提供することができる。
【００１６】
特に、後側ケーシングに、電源を装填する電源装填室と、駆動源を装填する駆動源装填室とを設ければ、更に絶縁性を高めることができる。
【００１７】
更に、駆動源と仕切り壁との間、又は、ポンプと仕切り壁との間の少なくとも一方にシール部材を介在させれば、絶縁性を更に高めることができるのに併せ、駆動源やポンプの作動時に生じる雑音や振動を吸収・軽減できる。
【００１８】
更に、後側ケーシングは、その末端に開口を有し、この開口を着脱可能に封止するカバーを設けてもよい。この場合、電源や駆動源の修理や交換を容易に行うことができる。
【発明を実施するための最良の形態】
【００１９】
図１は、本発明である電動式トリガー吐出器200の一形態を側面から示す断面図であり、図２はその上部断面図である。また図３(a),(b)はそれぞれ、図１のＡ−Ａ断面図及びＢ−Ｂ断面図である。更に図４(a)〜(c)はそれぞれ、同形態の正面図、背面図及び底面図である。
【００２０】
符号210は、ベースキャップ220を介して図示せぬ容器の口部に装着されるインテイクである。このインテイク210には、図示せぬチューブが連結される開口211が形成され、この開口211に導入パイプ212を介してポンプ230が連結されている。
【００２１】
ポンプ230は、駆動源であるモータMに連結されて電動ポンプを構成する。なお、本形態に係るポンプ230は、ギアポンプであって、互いに噛み合う２つのギア231,232の一方に、モータMの主軸Msが連結されている。ポンプ230の先端には、一例として、内容物を噴霧する噴射ノズル240が取り付けられている。
【００２２】
噴射ノズル240は、後述の前側ケーシング120に固定されたベース部材241とスピン部242の２部材でスピンエレメントを構成し、このスピンエレメントと、その先端に装着されるノズル本体243と、このノズル本体243の外面に装着されるノズルカバー250とからなり、ベース部材241を通ってポンプ230から圧送された内容物をノズルカバー250の開口250Aから直線状、泡状又は霧状に噴射させる。ノズルカバー250は、ノズル本体243と共にその軸線周りに回転して前記スピンエレメントとの関係において噴射ノズル240を開閉或いは噴射形態の変更を可能としている。
【００２３】
また、ノズルカバー250は、その外側面から一体に延出し、後述するトリガー260の引っ掛け部分261を覆う前当て251を有し、トリガー260の誤牽曳を防止する機能も兼ね備えている。なお、本形態は、ノズルカバー250の前当て251に一体に繋がる側面252の内側に突起253を形成する一方、トリガー260の側面262で後述する前側ケーシング120の前壁120fに近接する位置には、突起253が合致する凹部又は貫通孔263を形成している。これにより、ノズルカバー250を回転させると、突起253が凹部又は貫通孔263に合致するため、不用意な誤牽曳を回避することができる。本形態では、前述の通り、ノズル本体243の外面にノズルカバー250を装着して、当該ノズルカバー250より前当て251を延出する構成として示したが、ノズルカバー250を省略してノズル本体243より直接前当て251を延出させる構成とすることもできる。
【００２４】
符号270は、トリガー260の牽曳に同期して容器の内外を連通させる空気置換用シリンダ機構である。本形態に係る空気置換用シリンダ機構270は、ポンプ230に横並び配置されインテイク210に保持される横置きシリンダ271と、この横置きシリンダ271内をスプリング272を介して弾支されトリガー260の牽曳によりストロークするピストン273とからなる。横置きシリンダ271には、インテイク210を介して容器内に通じる空気孔213が形成されている。また、ピストン273の内側中央からは、スプリング272を案内する機能を有し、且つ、シリンダ271の底部中央に開口する貫通孔271Aをシールすると共にピストン273の可動時には貫通孔271Aを気密状態に摺動可能な棒状部274が一体に形成されている。
【００２５】
符号100は、インテイク210に保持されて先端から噴射ノズル240が突出するボディである。ボディ100は、インテイク210に装着される後側ケーシング110と、この後側ケーシング110の前方に組み付けられる前側ケーシング120とからなる。
【００２６】
前側ケーシング120は、左右に分割された右前側ケーシング121と左前側ケーシング122とを組み合わせてなり、後側ケーシング110と共に、ポンプ230及び空気置換用シリンダ機構270を収める空間を形成し、その先端から噴射ノズル240を突出させている。
【００２７】
トリガー260は、前側ケーシング120に揺動可能に保持された操作レバーであり、その背面には、空気置換用シリンダ機構270のピストン273の前端面に当接する押圧ピン264が一体に形成されている。このため、トリガー260を牽曳しない状態では、ピストン273が空気孔213を封止するが、トリガー260の牽曳によりピストン273がストロークすると、空気孔213が開放されて容器内の空気の流通が図れる。これにより、容器内の減圧に伴う変形を防止することができる。
【００２８】
後側ケーシング110は、ケーシング本体130と、このケーシング本体130に装着される電源ケース140と、カバー150,160からなる。
【００２９】
ケーシング本体130は、左前側ケーシング122と共にインテイク210にボディ100を装着するための装着部を構成するベース131と、ベース131に一体に形成され後方に向かって伸びる外周壁132と、この外周壁132を前側ケーシング120の後端との合せ面にて繋げる仕切り壁133とが一体に形成されている。
【００３０】
仕切り壁133は、その前面において、ゴム又は熱可塑性エラストマーからなるシール部材S1を介してポンプ230を保持すると共に、その背面においてゴム又は熱可塑性エラストマーからなるシール部材S2を介してポンプ230を駆動させるモータMを保持する。モータMは、仕切り壁133から後方に向かって一体に伸びる駆動源装填用周壁134によって包囲されている。なお、本形態において、シール部材S1,S2は、板状を呈するものとして示されている。
【００３１】
仕切り壁133の前面には、右前側ケーシング121及び左前側ケーシング122を案内するため、その左側に、右前側ケーシング121に設けた右側レール123を摺動可能に保持する右前側ケーシング案内レール135が、また、その左側に、左前側ケーシング122に設けた左側レール124を摺動可能に保持する右前側ケーシング案内レール136がそれぞれ一体に形成されており、加えて、その上側には、右前側ケーシング121及び左前側ケーシング122を位置決めするため、右前側ケーシング121に設けた下向きフック125と、左前側ケーシング122に設けた下向きフック126とに係合する上向きフック137が形成されている。
【００３２】
これにより、ボディ100は、仕切り壁133によって後側ケーシング110の内側に形成された収納空間と、前側ケーシング120の内側に形成された収納空間とに区画することができる。
【００３３】
更に、仕切り壁133は、モータＭの下方である、空気置換用シリンダ機構270とほぼ整列する位置に、ケーシング本体130と前側ケーシング120とを連通させる開口130Aが形成されており、この開口130Aを弾性変形可能な軟質膜170を溶着することにより封止している。更に、軟質膜170の背面には、電源Ｂが配置されている。
【００３４】
電源Ｂは、電源ケース140に収納された４つの電池である。電源ケース140は、ケーシング本体130の外周壁132及び駆動源装填用周壁134の間に気密状態に嵌合する外側面141を有し、その前方外側面には係合凹部142が一体に形成されている。これに対し、電源ケース140の外側面に合わされるケーシング本体130の外周壁132及び駆動源装填用周壁134の内側面にはそれぞれ、電源ケース140の係合凹部142が着脱可能に係合する内向き突起134pが形成されている。これにより、電源ケース140は、ケーシング本体130の内側に固定保持される。
【００３５】
更に、電源ケース140には、押圧によりONになるスイッチSWが設けられており、リード線Ｌを介してモータＭに接続されている。このため、スイッチSWが開口130Aと整列するように電源ケース140を配置すれば、トリガー260の牽曳によりストロークするピストン273の内側中央部から伸びる棒状部274の先端がシリンダ271の底部に形成した貫通孔271Aを通して軟質膜170を押圧・弾性変形させることにより、この軟質膜170を介してスイッチSWを押圧することができる。
【００３６】
かかる構成によれば、トリガー260を牽曳してモータＭを介してポンプ230を駆動させると共に空気置換シリンダ機構270を作動させるだけで容器の内容物を噴射ノズル240から噴霧することができる。
【００３７】
カバー150は、ケーシング本体130に装着される駆動源用カバーである。この駆動源用カバー150は、ケーシング本体130の外周壁132に嵌合する外側面151と、駆動源装填用周壁134の末端開口に嵌合する嵌合周壁152とを一体に備える。この嵌合周壁152の外側面には、係合突起152pが一体に形成されており、駆動源装填用周壁134の内側面には、嵌合周壁152の係合突起152pが着脱可能に係合する係合凹部134nが一体に形成されている。これより、ケーシング本体130及び電源ケース140に駆動源用カバー150を装着すると、ケーシング本体130と駆動源用カバー150との間が気密状態に保持され、更に、仕切り壁133と駆動源用カバー150との間には、駆動源装填用周壁134及び嵌合周壁152に包囲されたモータ格納室Ｒmが形成される。
【００３８】
カバー160は、電源ケース140に装着される電源用カバーである。この電源用カバー160は、電源ケース140の末端開口に螺着されるスクリューキャップであり、この電源用カバー160を電源ケース140に螺着させると、電源ケース140の内部に気密状態に保持された電源格納室Ｒbが形成され、更に、電源用カバー160がケーシング本体130と駆動源用カバー150とを押圧するため、駆動源用カバー150が容易に外れたりすることを防止できる。
【００３９】
上述の如く、本形態では、ボディ100を前後に分けて、ポンプ230及び空気置換用シリンダ機構270からなる流路系統を収める前側ケーシング120と、電源Ｂ、駆動源Ｍ及びスイッチSWからなる電気系統を収める後側ケーシング110とし、前側ケーシング120と後側ケーシング110との相互間に仕切り壁133を設けて流路系統と電気系統とを仕切ったから、水気を嫌う電源Ｂ、駆動源Ｍ及びスイッチSWが後側ケーシング110内に隔離される。
【００４０】
従って本形態によれば、電源系統を濡らすことなく、絶縁性の高い電動式トリガー吐出器を提供することができる。
【００４１】
特に、本形態の如く、後側ケーシング110に、電源Ｂを装填する電源装填室Ｒbと、駆動源Ｍを装填する駆動源装填室Ｒmとを設ければ、更に絶縁性を高めることができる。
【００４２】
更に、本形態は、駆動源Ｍと仕切り壁133との間、又は、ポンプ230と仕切り壁133との間の少なくとも一方にシール部材Ｓ1,Ｓ2を介在させれば、絶縁性を更に高めることができるのに併せ、駆動源Ｍやポンプ230の作動時に生じる雑音や振動を吸収・軽減できる。
【００４３】
また、本形態の後側ケーシング110は、ケーシング本体130、電源ケース140、駆動源用カバー150及び電源用カバー160で構成されている。この場合、ケーシング本体130から、電源ケース140、駆動源用カバー150及び電源用カバー160を取り外しが可能になるため、電源Ｂや駆動源Ｍの修理や交換を容易に行うことができる。なお、電源ケース140、駆動源用カバー150及び電源用カバー160は少なくともいずれか一つをケーシング本体130と一体にしてもよい。
【００４４】
本発明は、請求の範囲において、様々な変更を加えることができる。例えば、ボディ100の内側に設けた仕切り壁133は、後側ケーシングと一体に形成したが、別体として後側ケーシング110と前側ケーシング120とを介在させてもよい。
【００４５】
また、電動式トリガー吐出器としては、トリガー260は、ボディ100に揺動可能に保持される操作レバー以外にも押しボタン等が挙げられる。また、駆動源Ｍもモータに限らず、電気エネルギを機械エネルギに変換するものであればよい。加えて、ベースキャップ220を変更すれば、様々な口元を有する容器に適用させることができる。更に、噴射ノズル240を変更すれば、ノズル240からの吐出形態も適宜変更することができる。加えて、本形態では、空気置換シリンダ機構270のシリンダ271をインテイク210と一体に形成したが、シリンダ271とインテイク210とを別体として、その相互間をパイプ等の別部材で繋ぐように構成することも可能である。
【図面の簡単な説明】
【００４６】
【図１】本発明である電動式トリガー吐出器の一形態を側面から示す断面図である。
【図２】同形態の上部断面図である。
【図３】(a),(b)はそれぞれ、図２のＡ−Ａ断面図及びＢ−Ｂ断面図である。
【図４】(a)〜(c)はそれぞれ、同形態の正面図、背面図及び底面図である。
【符号の説明】
【００４７】
100    ボディ
110    後側ケーシング
120    前側ケーシング
130    ケーシング本体
133    仕切り壁
140    電源ケース
150    駆動源用カバー
160    電源用カバー
170    軟質膜
200    電動式トリガー吐出器
210     インテイク
220     ベースキャップ
230     ポンプ
240     噴射ノズル
250     ノズルカバー
Ｂ      電池（電源）
Ｍ      モータ（駆動源）
S1,S2   シール部材
【図１】
2006346623.tif 000003
【図２】
2006346623.tif 000004
【図３】
2006346623.tif 000005
【図４】
2006346623.tif 000006
【手続補正書】
【提出日】平成17年6月17日(2005.6.17)
【手続補正１】
【補正対象書類名】明細書
【補正対象項目名】００４６
【補正方法】変更
【補正の内容】
【００４６】
【図１】本発明である電動式トリガー吐出器の一形態を側面から示す断面図である。
【図２】同形態の上部断面図である。
【図３】(a),(b)はそれぞれ、図１のＡ−Ａ断面図及びＢ−Ｂ断面図である。
【図４】(a)〜(c)はそれぞれ、同形態の正面図、背面図及び底面図である。